(57)【要約】【課題】巻枠のスペースを有効に利用して小型化することができ、一方、同じ巻枠であれば巻き数を増やすことができるトランスを提供する。【解決手段】トランス１は、コア２と、前記コア２の外周に電線６を径大方向へ順に複数回巻装したコイル部７を備える１次巻線３と、一回巻構造の金属板材からなる２次巻線４とを備える。前記１次巻線３は、前記電線６の一端6aを前記コイル部７の内周側に配置し、前記電線６の他端6aを前記コイル部７の外周側に配置してなり、前記２次巻線４は、前記コア５を挿通する貫通穴10と、一対の端子部11と、前記２次巻線４の表面を前記コイル部７の表面に当接させたまま、前記コイル部７の内周側に配置された前記電線６の一端を、前記コイル部７の内周側から外周側へ誘導する誘導手段12とを備える。【選択図】図１
2008218754.tif 000002
【特許請求の範囲】
【請求項１】
コアと、
前記コアの外周に電線を径大方向へ順に複数回巻装したコイル部を備える１次巻線と、
一回巻構造の金属板材からなる２次巻線と
を備えるトランスにおいて、
前記１次巻線は、
前記電線の一端を前記コイル部の内周側に配置し、前記電線の他端を前記コイル部の外周側に配置してなり、
前記２次巻線は、
前記コアを挿通する貫通穴と、
一対の端子部と、
前記２次巻線の表面を前記コイル部の表面に当接させたまま、前記コイル部の内周側に配置された前記電線の一端を、前記コイル部の内周側から外周側へ誘導する誘導手段と
を備えることを特徴とするトランス。
【請求項２】
前記誘導手段は、前記貫通穴の周縁に形成されていることを特徴とする請求項１記載のトランス。
【請求項３】
前記誘導手段は、凹部であることを特徴とする請求項２記載のトランス。
【請求項４】
前記誘導手段は、有底の溝部であることを特徴とする請求項２記載のトランス。
【請求項５】
前記１次巻線と前記２次巻線とを交互に複数配置したことを特徴とする請求項１〜４のうち何れか１項に記載のトランス。
【発明の詳細な説明】
【技術分野】
【０００１】
本発明は、トランスに関し、特に大容量のスイッチング電源装置に適用され、１次巻線に電線を用い、２次巻線に板状部材を用いたトランスに関するものである。
【背景技術】
【０００２】
従来、大容量のスイッチング電源装置に適用されるトランスは、２次側に大電流が流れることから、２次巻線に金属板を用いている（例えば、特許文献１）。通常、トランスの巻線には、１次巻線、２次巻線共に電線が用いられるが、上記特許文献１では、２次巻線に金属板を用いることにより、大電流が流れる２次巻線の抵抗値を下げるように構成されている。
【０００３】
一般に、この種の１次巻線は、図５に示すように、電線101を平面状に径大方向へ順に巻いてコイル部102を形成するので、電線の一端103はコイル部102の内周側、他端104はコイル部102の外周側に配置されることになる。従って、１次巻線は、前記電線101の一端103を前記コイル部102の内周側から外周側へコイル部102を跨いで外部に送出させ、その電線101の他端104をコイル部102の外周側からそのまま外部に送出させることにより、それら一端103及び他端104を外部部品と電気的に接続するように構成される。
【０００４】
そしてトランスは、ボビンの円筒状の巻枠の外周に、上記１次巻線を設置し、その上から絶縁シートを介して２次巻線が巻き回されて構成される。
【特許文献１】特開昭６４−３０４６３号公報
【発明の開示】
【発明が解決しようとする課題】
【０００５】
しかしながら、上記のような１次巻線で構成したトランスでは、電線101の一端103がコイル部102を内周側から外周側へかけて跨ぐため、１次巻線の表面に巻き回した２次巻線が、電線101の直径分だけ浮き上がり、その分トランス全体が厚くなる。すなわち、この電線101の直径に対応する部分105は、デッドスペースとなり、トランス全体としては、巻枠を有効に利用できないという問題がある。
【０００６】
そこで、本発明は上記した問題点に鑑み、巻枠のスペースを有効に利用して小型化することができ、一方、同じ巻枠であれば巻き数を増やすことができるトランスを提供することを目的とする。
【課題を解決するための手段】
【０００７】
上記目的を達成するために、請求項１に係る発明は、コアと、前記コアの外周に電線を径大方向へ順に複数回巻装したコイル部を備える１次巻線と、一回巻構造の金属板材からなる２次巻線とを備えるトランスにおいて、前記１次巻線は、前記電線の一端を前記コイル部の内周側に配置し、前記電線の他端を前記コイル部の外周側に配置してなり、前記２次巻線は、前記コアを挿通する貫通穴と、一対の端子部と、前記２次巻線の表面を前記コイル部の表面に当接させたまま、前記コイル部の内周側に配置された前記電線の一端を、前記コイル部の内周側から外周側へ誘導する誘導手段とを備えることを特徴とする。
【０００８】
また、請求項２に係る発明は、前記誘導手段は、前記貫通穴の周縁に形成されていることを特徴とする。
【０００９】
また、請求項３に係る発明は、前記誘導手段は、凹部であることを特徴とする。
【００１０】
また、請求項４に係る発明は、前記誘導手段は、有底の溝部であることを特徴とする。
【００１１】
また、請求項５に係る発明は、前記１次巻線と前記２次巻線とを交互に複数配置したことを特徴とする。
【発明の効果】
【００１２】
本発明の請求項１記載のトランスによれば、誘導手段を備えたことにより、前記２次巻線の表面を前記コイル部の表面に当接させたまま、前記コイル部の内周側に配置された前記電線の一端を、前記コイル部の内周側から外周側へ誘導できるので、巻枠のスペースを有効に利用して小型化することができ、一方、同じ巻枠であれば巻き数を増やすことができる。
【００１３】
また、請求項２に記載のトランスによれば、コアの外周面となるコイル部の内周側に配置された電線の一端を確実に外周側に誘導することができる。
【００１４】
また、請求項３に記載のトランスによれば、上方から電線の一端の位置を視認することができるので、容易に２次巻線を位置決めして、設置することができる。
【００１５】
また、請求項４に記載のトランスによれば、誘導手段の設置に伴う２次巻線の断面積の減少を抑制することができる。
【００１６】
また、請求項５に記載のトランスによれば、層数が増えた分だけリーケージを減少させることができる。
【発明を実施するための最良の形態】
【００１７】
以下図面を参照して、本発明の好適な実施形態について説明する。図１に示すトランス１は、コア２、１次巻線３及び２次巻線４とを備える。このトランス１は、全体として、１次巻線３に断続的に電流を流すことにより、コア２内を通る磁束を発生、変化させる。このように発生、変化した磁束が２次巻線４と鎖交することにより、２次巻線４、すなわちトランス１の２次側に電圧を誘起し得るように構成されている。
【００１８】
コア２は、例えば鉄心又はフェライトコアなどの高透磁率部材からなり、円筒状の脚部５を備える。１次巻線３は、従来と同様の３層絶縁電線６からなり、前記電線６を径大方向へ順に複数回巻き回して形成したコイル部７を備える。この前記１次巻線３は、巻始めとなる前記電線６の一端6aを前記コイル部７の内周側に配置し、巻き終りとなる前記電線６の他端6bを前記コイル部７の外周側に配置してなる。従って、１次巻線３の一端6aは、コイル部７の内周側から外周側へかけてコイル部７を跨いで外部へ送出される。一方、１次巻線３の他端6bは、コイル部７の外周側からそのまま外部へ送出される。この１次巻線３のコイル部７はコア２の脚部５に巻装される。２次巻線４は、例えば銅板などの扁平板状の金属板材から形成される。また、１次巻線３の中間には、絶縁板８が設けられている。
【００１９】
２次巻線４は、前記コア２の脚部５を挿通する貫通穴10、一対の端子部11及び誘導手段としての凹部12とを備え、前記１次巻線３をサンドイッチ状に挟み込むように配置される。凹部12は、貫通穴10の周縁を「コ」字状に切り抜いて形成される。この凹部12は、貫通穴10の周縁から半径方向に延び、奥行きが巻き幅である１次巻線３の軸直角方向長さより長く形成され、幅が１次巻線３を構成する電線６の直径より長く形成される。
【００２０】
このように構成されたトランス１は、２次巻線４の表面をコイル部７の表面に当接させ、２次巻線４で１次巻線３をサンドイッチ状に挟み込むようにして構成されている。ここで、上記したように１次巻線３は、一端6aがコイル部７の内周側から外周側へかけてコイル部７を跨いで送出されているので、１次巻線３全体の軸方向長さは、コイル部７の高さに電線６の直径分を加えた長さとなる。従って、金属板材からなる通常の２次巻線４で１次巻線３を挟み込むと、２次巻線４の表面がコイル部７の表面よりが電線６の直径分だけ浮き上がり、２次巻線４の表面とコイル部７との間にデッドスペースが生じる。ところが、本発明に係る凹部12を備えた２次巻線４によれば、図２に示すように、凹部12に電線６の一端6aを挿通することにより、前記２次巻線４の表面を前記１次巻線３の表面に当接させたまま、コイル部７を跨いでいる電線６の一端6aを凹部12によってコイル部７の内周側から外周側へ誘導することができる。従って、トランス１は、電線６の直径分だけ軸方向長さを短くすることができるので、巻枠のスペースを有効に利用して小型化を実現することができる。
【００２１】
また、トランス１では、２次巻線４の表面を前記１次巻線３の表面に当接させておくことができるので、１次巻線３と２次巻線４との磁気的な結合を改善することができる。また、トランス１は、実際には１次巻線３と２次巻線４とを軸方向に複数、層状に重ねて構成するので、層数が増えると、その分だけリーケージを減少させることができる。
【００２２】
一方、同じ巻枠とした場合、すなわち軸方向長さを従来と同じ長さとした場合には、従来に比べ単位長さあたりの層数を増やすことができる。従来に比べ単位長さあたりの層数が増えると、本発明のトランス１では１次巻線３及び２次巻線４共に、単位長さあたりの断面積を増加させることができるので、熱の上昇を抑制することができる。
【００２３】
さらに、誘導手段を凹部12としたことにより、上方から電線６の一端6aの位置を視認することができるので、１次巻線３に対し２次巻線４を容易に、かつ確実に位置決めして、設置することができる。
【００２４】
上記した実施形態では誘導手段として凹部12を設けた場合について説明したが、図３に示すように、凹部12に替えて有底の溝部20を設けることとしてもよい。溝部20は、貫通穴10の周縁から半径方向に延びるように形成され、高さ方向の長さが少なくとも電線６の直径より長く、半径方向の長さが１次巻線３の軸直角方向長さより長く、円周方向の長さが１次巻線３を構成する電線６の直径より長くなるように形成される。このように誘導手段として有底の溝部20を設けることとしたことにより、誘導手段の設置に伴う２次巻線４の断面積の減少を抑制することができる。すなわち、誘導手段を溝部20とすることにより、上記凹部12を設ける場合に比べ、２次巻線４の断面積を増やすことができる。
【００２５】
また、誘導手段として、図４に示すように、貫通穴10とコア２との間から電線６の一端6aを外周側へ送出することとしてもよい。この場合、貫通穴10の周縁に設けた凹部12は、その奥行きが電線６の直径分の長さで足りるので、２次巻線４の断面積の減少をより抑制することができる。
【００２６】
本発明は、本実施形態に限定されるものではなく、本発明の要旨の範囲内で種々の変形実施が可能である。
【図面の簡単な説明】
【００２７】
【図１】本発明に係るトランスの全体構成を示す斜視図である。
【図２】同上、部分断面図である。
【図３】同上、変形例を示す部分断面図である。
【図４】同上、別の変形例を示す部分断面図である。
【図５】同上、従来例を示す図であり、（Ａ）平面図、（Ｂ）正面図である。
【符号の説明】
【００２８】
１    トランス
２    コア
３    １次巻線
４    ２次巻線
６    電線
７    コイル部
10    貫通穴
11    端子部
12    凹部（誘導手段）
20    溝部（誘導手段）
【図１】
2008218754.tif 000003
【図２】
2008218754.tif 000004
【図３】
2008218754.tif 000005
【図４】
2008218754.tif 000006
【図５】
2008218754.tif 000007